(57)【要約】      （修正有） 【課題】好みのアクセサリーを身に付ける際に、アクセサリーで使用している石のパワーの内容を理解し、自分の運勢が確認できるアクセサリーを提供する。【解決手段】自分が高めたいと思う運気に関連したブレスレット２等のアクセサリーを、おみくじ３と、前記アクセサリーに使用した石５の説明カード４と共に、容器６に入れてパッケージアクセサリーを構成する。【選択図】図２
0003162133.tif 000002
【実用新案登録請求の範囲】
【請求項１】
少なくともパーツの一つに石を使用したアクセサリーと、
おみくじを１枚または２枚以上と、
アクセサリーに使用した石の説明カードとが、
共に容器に入っていることを特徴とするパッケージアクセサリー。
【請求項２】
上記アクセサリーは、ブレスレット、アンクレット、ネックレス、リング、ピアス、キーホルダー、ストラップより選択されるいずれかであることを特徴とする請求項１に記載のパッケージアクセサリー。
【請求項３】
上記アクセサリーのパーツに使用する石は、
タンブル形状、サザレ形状、玉形状、球形状、チップ形状、勾玉形状、雫形状、カッティングされた部分を持つ形状より選択されるいずれかの形状であることを特徴とする請求項１〜請求項２のいずれか１項に記載のパッケージアクセサリー。
【請求項４】
上記アクセサリーは、複数のパーツを数珠繋ぎにして成形した環状のアクセサリーであることを特徴とする請求項1〜請求項３のいずれか１項に記載のパッケージアクセサリー。
【考案の詳細な説明】
【技術分野】
【０００１】
本考案は、新しいタイプのアクセサリーに関するものである。
【背景技術】
【０００２】
従来より、手首、足首、首、指にはめるブレスレット、アンクレット、ネックレス、リングや、カバンや携帯電話等に付けるキーホルダーやストラップ等のアクセサリーには、石が使用されることが多い。
【０００３】
そして、これらのアクセサリーをお守の要素として携帯している例が見受けられるのは、
これらのアクセサリーに使用されている石には、何らかの運気が上がる意味付けがなされているからである。
【０００４】
一方、おみくじとは、一般に神社仏閣で運勢などを占うものであり、境内の木に括り付けるだけで、その時の運気を維持したりさらに運気を上げたくても特に何もせずにいるケースが多い。
【特許文献１】実用新案登録第３０４７２１４号
【０００５】
このような状況では、今の自分の高めたいと思う運気と関係無いアクセサリーでは効果が低くなってしまい、いざ使用される石の意味を自分で辞典やインターネットで調べるには、時間がかかり、アクセサリーを身に付けたときの自分の運勢を知る為に瞬時に判断するものも存在しなかった。
【考案の開示】
【考案が解決しようとする課題】
【０００６】
本考案は、上記の問題点に斯かる実情に鑑みなされたもので、好みのアクセサリーを身に付ける際に、アクセサリーで使用している石のパワーの内容を理解し、自分の運勢が確認できるアクセサリーを提供する。
【課題を解決するための手段】
【０００７】
請求項１に記載の考案は、少なくともパーツの一つに石を使用したアクセサリーと、おみくじを１枚または２枚以上と、アクセサリーに使用した石の説明カードとが、共に容器に入っていることを特徴とする。
【０００８】
請求項２に記載の考案は、アクセサリーは、ブレスレット、アンクレット、ネックレス、リング、ピアス、キーホルダー、ストラップより選択されるいずれかであることを特徴とする。
【０００９】
請求項３に記載の考案は、アクセサリーのパーツに使用する石は、タンブル形状、サザレ形状、玉形状、球形状、チップ形状、勾玉形状、雫形状、カッティングされた部分を持つ形状より選択されるいずれかの形状であることを特徴とする。
【００１０】
請求項４に記載の考案は、アクセサリーは、複数のパーツを数珠繋ぎにして成形した環状のアクセサリーであることを特徴とする。
【考案の効果】
【００１１】
本考案によれば、好みのアクセサリーを購入することで、使用している石のパワーの内容と自分の運勢が確認でき、身に付けるごとに運勢を高める動機付けとなる。
【考案を実施するための最良の形態】
【００１２】
パーツの一つに石を使用したアクセサリーと、おみくじを１枚または２枚以上と、アクセサリーに使用した石の説明カードとを、共に容器に入れる。
【実施例】
【００１３】
以下、図面を参照して本考案に係るパッケージアクセサリーの実施例を説明する。
【００１４】
まず、透明のジッパー付袋６に、複数のパーツを数珠繋ぎにして成形した環状のブレスレット２と前記ブレスレットに使用した石に関する説明書４とおみくじ３を、１枚入れて封入する。
【００１５】
このとき、複数のパーツを数珠繋ぎにして成形した環状のブレスレット２に使用している石５は、一般にパワーストーンと呼ばれる石であり、古来より、願いをかなえる不思議なパワーがあるとされている。
【００１６】
例えば、アイオライト、アクアオーラ、アクアマリン、アズライト、アパッチティアーズ、アプリコットアゲート、アベンチュリン、アマゾナイト、アメジスト、アラゴナイト、イエロークウォーツ、イエロージェイド、インカローズ、エメラルド、オパール、オニキス、オブシディアン、ガーネット、オレンジアラゴナイト、カーネリアン、カルサイト、クリアオレンジカルサイト、グリーンアベンチュリン、グリーントルマリン、グリーンフローライト、クリソコラ、コッパーナゲット、ゴールドストーン、サファイア、サンストーン、シトリン、シエル、スギライト、スノーフレーク、クリソプレーズ、シトリン、水晶、スターローズクオーツ、スノーフレイクオプシディアン、スモーキークオーツ、セレナイト、ソーダライト、ダークアメジスト、タイガーアイ、ダイアモンド、チャルコパイライト、ターコイズ、ダルメシアン、タンザナイト、ニュージェイド、テクタイト、トパーズ、トルマリン、ピンクトルマリン、ブラックトルマリン、ブルーレース、フローライト、ホークアイ、ヘマタイト、パール、パイライト、ハウライト、ハウライトターコイズ、バンデッドカーネリアン、ピーターサイト、ピーチクウォーツ、ブラックオニキス、ブラッドストーン、ブルーコーラル、ブルーレースカルセドニー、プレナイト、ペリドット、マラカイト、ムーンストーン、めのう、ユカナイト、ラピスラズリ、ラブラドライト、ルチルクウォーツ、ルビー、レッドジャスパー、レッドタイガーアイ、ローズクウォーツ、ロードナイト、その他模造石等を用いる。
【００１７】
これらの石を、タンブル形状、サザレ形状、玉形状、球形状、チップ形状、勾玉形状、雫形状、カッティングされた部分を持つ形状に加工し、アクセサリーを構成するパーツの１つとして使用する。
【００１８】
そして、説明書４には、石の名称、別名、産地、謂れ、由来、どのように運が上がるとされているか、石の写真やイラスト、コラム等を記載する。
【００１９】
例えば、クリスタルを使用している場合、図３のように、名称「クリスタル」、別名「（水晶）」、硬度「７」、主な産地「ブラジル他」、謂れ「万能の強運石」「悩みや不安を解決し、プラスのエネルギーを与えてくれるといわれています。また、他の石のパワーを強くするともいわれています。」等と記載する。
【００２０】
また、おみくじ３は、市販のものでもオリジナルでも良く、外から見られないよう折りたたんだものが望ましい。
【００２１】
ここで、たとえおみくじ３の内容が凶であっても、それはブレスレット２をつける前の運勢であり、石の持つ力で、運を上げ、大吉まで高めていくブレスレットとして使用できる。
【００２２】
反対に、おみくじの内容が大吉であれば、その運を維持する為のブレスレットとして使用できる。
【００２３】
また、おみくじ３を２枚以上入れておけば、例えば、アクセサリーを使用する際に１回、しばらく時期を置いてもう一回運勢を試すことが出来、最初に比べてどの程度運気が変化したかを楽しむことができる。
【００２４】
なお、本実施例のブレスレットに用いる数珠を構成するパーツには、図３では、クリスタルの他に、レッドカーネリアンやクウォーツが用いられているが、全てが石で構成されなくても良く、数珠を構成する複数の球形状や平らな形状のパーツの内、１つがパワーストーンであれば、その他は、木製、金属製、人工石等であっても構わない。
【００２５】
そして、本実施例では、ブレスレットを参考例として説明したが、アクセサリーは、ブレスレット、アンクレット、ネックレス、リング、ピアス、キーホルダー、ストラップのいずれであっても良いし、複数のパーツを数珠繋ぎにして成形した環状のものでなくても良い。
【００２６】
また、袋に入れるアクセサリーの数は、複数個でも良く、更にその組合せも、例えば、ブレスレット２個であるとか、ブレスレット１個とリング１個の組合せであっても良い。
【００２７】
そして、本実施例では、容器の説明として透明のジッパー付袋を示したが、容器はポーチでもケースであっても良く、またその材質や透明であるか不透明であるかは、特に限定しない。
【００２８】
このように、好ましい実施例を挙げて本考案を説明したが、本考案はその実施例に限定されるものではなく、本考案の要旨の範囲内で種々に改変できる。
【図面の簡単な説明】
【００２９】
【図１】本考案に係るパッケージブレスレットの平面図である。
【図２】本考案に係るパッケージブレスレットの構成図である。
【図３】本考案に係るパッケージブレスレットの石の説明文例である。
【符号の説明】
【００３０】
１  パッケージアクセサリー
２  ブレスレット
３  おみくじ
４  石の説明文
５  石
６  容器
【図１】
0003162133.tif 000003
【図２】
0003162133.tif 000004
【図３】
0003162133.tif 000005